(57)【要約】【課題】通信データをスループットを低下させず、且つ装置コストを上昇させずに、構成情報を設定変更できるようにする。【解決手段】通信データに対して変調・復調処理を施すモデム処理部１４と、データ中に構成情報データが含まれているか否かを解析するレイヤ３解析部１５と、構成情報データに基いて構成情報の設定変更を行う構成情報処理部１６と、ＬＡＮ回線２からのデータをレイヤ３解析部１５を経由させずにモデム処理部１４に送る通信モードとＬＡＮ回線２からのデータをレイヤ３解析部１５に送る構成情報設定モードとのモード切替を行うモード切替部１４と、このモード切替部１４に対してモード切替指示を与えるモード切替スイッチ１８ａと、を備えている。【選択図】  図２
2005064601.tif 000002
【特許請求の範囲】
【請求項１】
互いにインタフェースが異なる２つの回線に接続され、２つの回線相互間での通信を行う際のインタフェース変換処理を行うインタフェース変換装置において、
２つの前記回線のうち、一方の回線から他方の回線への通信データ、及び該他方の回線から一方の回線への通信データに関する前記インタフェース変換処理を行うインタフェース変換手段と、
前記一方の回線からのデータを解析して、該データが前記通信データであるか、当該装置の構成情報データを含むデータであるかを判断して、該データが前記通信データであれば、該データを前記インタフェース変換手段に渡すデータ解析手段と、
前記データ解析手段が、前記一方の回線からのデータが当該装置の構成情報データを含むデータであると判断した場合に、該構成情報データを受け取って、該構成情報データに基づく処理を行う構成情報処理手段と、
前記一方の回線からのデータを、前記データ解析手段を経由させずに前記インタフェース変換手段に送る通信モードと、該一方の回線からのデータを前記データ解析手段で解析させる構成情報設定モードとのモード切替を行うモード切替手段と、
前記モード切替手段によるモード切替を指示するモード切替指示手段と、を備えていることを特徴とするインタフェース変換装置。
【請求項２】
請求項１に記載のインタフェース変換装置において、
前記モード切替指示手段は、
外部から操作可能なモード切替操作端と、任意の時間帯設定が可能で、設定された時間帯になるとモード切替を指示するモード切替タイマと、前記通信データのトラフィック量を監視し、該トラフィック量が予め定められた値以下であるか否かに応じてモード切替を指示するトラフィック監視部とのうち、少なくとも１つを有する、ことを特徴とするインタフェース変換装置。
【請求項３】
請求項２に記載のインタフェース変換装置において、
前記データを一時的に蓄えておくデータバッファを備え、
前記モード切替指示手段は、少なくとも、前記トラフィック監視部を有し、
前記トラフィック監視部は、前記データバッファが現在蓄えているデータ量を現在の前記トラフィック量として監視し、該データ量が予め定められた値以下であるか否かに応じてモード切替を指示する、ことを特徴とするインタフェース変換装置。
【請求項４】
請求項１に記載のインタフェース変換装置において、
前記モード切替指示手段として、複数種類のモード切替指示手段を有し、
複数種類の前記モード切替指示手段によるモード切替のそれぞれの指示は、予め、又は前記構成情報処理手段により優先順位が設定されている、ことを特徴とするインタフェース変換装置。
【請求項５】
請求項１から４のいずれか一項に記載のインタフェース変換装置において、
モード切替手段によるモード切替を表示する表示手段を備えている、ことを特徴とするインタフェース変換装置。
【請求項６】
請求項１から５のいずれか一項に記載のインタフェース変換装置において、
前記他方の回線は、ＩＰ（Ｉｎｔｅｒｎｅｔ  Ｐｒｏｔｏｃｏｌ）網であり、
前記インタフェース変換手段によるインタフェース変換処理は、前記通信データのうちのレイヤ２で規定されたデータの変換処理であり、
前記データ解析手段は、レイヤ３で規定されたデータを解析するレイヤ３解析手段であり、該レイヤ３解析手段が前記一方からのデータであって、レイヤ３で規定されたデータを解析して、該データ中に送信先のＩＰアドレスとして当該装置のＩＰアドレスが含まれている場合には、該データ中に当該装置の構成情報データを含むと判断する、ことを特徴とするインタフェース変換装置。
【発明の詳細な説明】
【０００１】
【発明の属する技術分野】
本発明は、通信モデムやＴＡ（Ｔｅｒｍｉｎａｌ  Ａｄａｐｔｅｒ）等、通信データのインタフェース変換を行うインタフェース変換装置に関する。
【０００２】
【従来の技術】
通信モデム等のインタフェース変換装置では、この装置の構成情報を変更するためには、外部から構成情報を与える必要がある。
【０００３】
従来、この構成情報を与える方法として、２つの方法がある。
【０００４】
第１の方法は、以下の特許文献１に記載されている方法である。この方法は、通信端末との通信インタフェースで、この通信端末からの通信データ及び構成情報データを受信し、受信したデータの全てに関して通信データであるか構成情報データであるかの解析を行うものである。この方法で、受信したデータが通信データであれば、このデータは網側に送られ、受信したデータが構成情報データであれば、このデータに基づいて構成情報が設定変更される。
【０００５】
また、第２の方法は、構成情報設定変更用のコンピュータと接続するため、通信端末との通信インタフェースとは物理的に異なるインタフェースを設け、このインタフェースからデータを受信すると、このデータに基づいて構成情報が設定変更される方法である。
【０００６】
【特許文献１】
特開２００２−６４４８６号
【０００７】
【発明が解決しようとする課題】
しかしながら、特許文献１に記載の第１の方法では、通信端末から全てのデータに関して、通信データであるか構成情報データであるか解析を行う必要があり、この解析のために、通信データのスループットが低下してしまうという問題点がある。
【０００８】
また、第２の方法では、通信データ用のインタフェースの他に、別途、構成情報データ用のインタフェースを設け、このインタフェースからデータを受信した場合に、構成情報の設定変更を行っているので、第１の方法のようにデータ解析が不要で、通信データのスループット低下を招かないものの、物理的に２つのインタフェースを備える必要があり、装置コストが嵩む上に、構成情報の設定変更の際には、構成情報設定変更用のコンピュータを本装置にわざわざ接続する必要があり、構成情報の設定変更に手間がかかるという問題点がある。
【０００９】
本発明は、このような従来の問題点に着目し、通信データをスループットの低下を招かず、しかも、装置コストの上昇を抑えることができると共に、手間をかけずに構成情報の設定変更ができるインタフェース変換装置を提供することを目的とする。
【００１０】
【課題を解決するための手段】
前記目的を達成するためのインタフェース変換装置は、
互いにインタフェースが異なる２つの回線に接続され、２つの回線相互間での通信を行う際のインタフェース変換処理を行うインタフェース変換装置において、
２つの前記回線のうち、一方の回線から他方の回線への通信データ、及び該他方の回線から一方の回線への通信データに関する前記インタフェース変換処理を行うインタフェース変換手段と、
前記一方の回線からのデータを解析して、該データが前記通信データであるか、当該装置の構成情報データを含むデータであるかを判断して、該データが前記通信データであれば、該データを前記インタフェース変換手段に渡すデータ解析手段と、
前記データ解析手段が、前記一方の回線からのデータが当該装置の構成情報データを含むデータであると判断した場合に、該構成情報データを受け取って、該構成情報データに基づく処理を行う構成情報処理手段と、
前記一方の回線からのデータを、前記データ解析手段を経由させずに前記インタフェース変換手段に送る通信モードと、該一方の回線からのデータを前記データ解析手段で解析させる構成情報設定モードとのモード切替を行うモード切替手段と、
前記モード切替手段によるモード切替を指示するモード切替指示手段と、を備えていることを特徴とするものである。
【００１１】
ここで、前記モード切替指示手段は、外部から操作可能なモード切替操作端と、任意の時間帯設定が可能で、設定された時間帯になるとモード切替を指示するモード切替タイマと、前記通信データのトラフィック量を監視し、該トラフィック量が予め定められた値以下であるか否かに応じてモード切替を指示するトラフィック監視部とのうち、少なくとも１つを有していてもよい。また、前記データを一時的に蓄えておくデータバッファを備えており、前記モード切替指示手段として、少なくとも、前記トラフィック監視部を有している場合には、前記トラフィック監視部は、前記データバッファが現在蓄えているデータ量を現在の前記トラフィック量として監視し、該データ量が予め定められた値以下であるか否かに応じてモード切替を指示するようにしてもよい。
【００１２】
また、前記インタフェース変換装置において、
前記モード切替指示手段として、複数種類のモード切替指示手段を有している場合には、複数種類の前記モード切替指示手段によるモード切替のそれぞれの指示は、予め、又は前記構成情報処理手段により優先順位が設定されているいてもよい。
【００１３】
また、以上の各インタフェース変換装置において、
前記モード切替手段によるモード切替を表示する表示手段を備えていることが好ましい。
【００１４】
また、前記インタフェース変換装置において、
前記他方の回線は、ＩＰ（Ｉｎｔｅｒｎｅｔ  Ｐｒｏｔｏｃｏｌ）網であり、前記インタフェース変換手段によるインタフェース変換処理は、前記通信データのうちのレイヤ２で規定されたデータの変換処理であり、前記データ解析手段は、レイヤ３で規定されたデータを解析するレイヤ３解析手段である場合、該レイヤ３解析手段が前記一方からのデータであって、レイヤ３で規定されたデータを解析して、該データ中に送信先のＩＰアドレスとして当該装置のＩＰアドレスが含まれている場合には、該データ中に当該装置の構成情報データを含むと判断するようにしてもよい。
【００１５】
【発明の実施の形態】
以下、本発明に係るインタフェース変換装置の一実施形態について、図面を用いて説明する。
【００１６】
本実施形態のインタフェース変換装置は、ＡＤＳＬ（Ａｓｙｍｍｅｔｒｉｃ  Ｄｉｇｉｔａｌ  Ｓｕｂｓｃｒｉｂｅｒ  Ｌｉｎｅ）モデムである。このＡＤＳＬモデムを含む通信システムは、例えば、図１に示すように、複数のデータ通信端末１，１と、各データ通信端末１，１とＬＡＮ回線２で接続されているルータ３と、ＡＤＳＬモデム１０とを備えている。
【００１７】
ＡＤＳＬモデム１０には、２つの回線が接続されており、そのうちの一方がデータ通信端末側のＬＡＮ回線２であり、他方がＡＤＳＬである。このＡＤＳＬ上に、ＩＰ網４が構成されている。
【００１８】
ＡＤＳＬモデム１０は、図２に示すように、ＩＰ網４に対するＩＰインタフェース１１と、ＬＡＮ回線２に対するイーサネット（米国ゼロックス社の登録商標）インタフェース１２と、各インタフェース１１，１２からの通信データの変調・復調処理を行うモデム処理部１３と、後述の通信モードと構成情報設定モードとの切替を行うモード切替部１４と、レイヤ３で規定されたデータを解析するレイヤ３解析部１５と、このＡＤＳＬモデム１０に対する構成情報を受けて各種機能の設定データ等を変更する構成情報処理部１６と、データを一時的に蓄えるバッファ１７と、このバッファ１７に蓄えられたデータ量から回線のトラフィックを監視するトラフィック監視部１８ｃと、モード切替部１４に対してモード切替の指示を与えるモード切替スイッチ１８ａと、モード切替部１４に対して設定時間帯になるとモード切替の指示を与えるモード切替タイマ１８ｂと、通信モードであるか構成情報設定モードであるかを示すモード表示ランプ１９と、を備えている。
【００１９】
モデム処理部（インタフェース変換手段）１３は、各インタフェース１１，１２からの通信データの変調・復調処理を行うことで、レイヤ２で規定された通信データのインタフェース変換処理を行う。レイヤ３解析部１５は、レイヤ３で規定されたデータを解析して、このデータ中に送信先のＩＰアドレスとしてＡＤＳＬモデム１０のＩＰアドレスが含まれている場合には、このデータ中に本装置の構成情報データを含むと判断して、この構成情報データを構成情報処理部１６に渡す。なお、ここでのレイヤ２、レイヤ３は、ＯＳＩ（Ｏｐｅｎ  Ｓｙｓｔｅｍｓ  Ｉｎｔｅｒｃｏｎｎｅｃｔｉｏｎ）参照モデルでのレイヤ２、レイヤ３であり、それぞれは、物理的に隣り合ったシステム間の論理信号手順を規定するデータリンク層、ネットワークを介して通信ルートを規定するネットワーク層を意味する。
【００２０】
モード切替部１４は、ＬＡＮ回線２からのデータをレイヤ３解析部１５に送る構成情報設定モードと、ＬＡＮ回線２からのデータをレイヤ３解析部１５を介さずにモデム処理部１３に送る通信モードとに切り替える。
【００２１】
トラフィック監視部１８ｃは、前述したように、バッファ１７に蓄えられたデータ量から回線のトラフィック量を監視し、バッファ内データ量が設定値以下であるかに応じて、モード切替部１４に対してモード切替の指示を与える。すなわち、モード切替スイッチ１８ａ、モード切替タイマ１８ｂ及びトラフィック監視部１８ｃは、いずれも、モード切替部１４に対してモード切替の指示を与えるものである。
【００２２】
構成情報処理部１６は、各インタフェース１１，１２やモデム処理部１３における各種設定値の他、モード切替タイマ１８ｂにおけるモード切替時刻、トラフィック監視部１８ｃにおけるモード切替に関するバッファ内データ量の閾値を設定変更することができる。構成情報処理部１６は、さらに、モード切替部１４に対して、モード切替スイッチ１８ａとモード切替タイマ１８ｂとトラフィック監視部１８ｃとのうち、いずれからのモード切替指示を優先するかの優先順位を設定することができる。
【００２３】
なお、本実施形態において、モデム処理部１３、レイヤ３解析部１５、構成情報処理部１６、トラフィック監視部１８ｃ、さらに切替回路的に図示されているモード切替部１４は、各種プログラムやデータ等が格納されているデータメモリと、データメモリに格納されているプログラムを実行するプロセッサと、プロセッサのワークエリアであるワークメモリとを有して構成されている。
【００２４】
本実施形態のＡＤＳＬモデム１０の構成情報を設定変更する場合には、モード切替部１４を動作させて、モードを通信モードから構成情報設定モードに変更するため、モード切替スイッチ１８ａとモード切替タイマ１８ｂとトラフィック監視部１８ｃとのうち、いずれかを動作させる。
【００２５】
仮に、モード切替スイッチ１８ａからのモード切替指示が最も優先順位が高い場合には、このスイッチ１８ａを操作することで、モードを構成情報設定モードにすることができる。この際、モード切替タイマ１８ｂ及びトラフィック監視部１８ｃからモード切替指示が出力されても、このモード切替指示の優先順位が低いために、モード切替部１４は、このモード切替指示に従わない。モード切替部１４が構成情報設定モードになると、モード表示ランプ１９が点灯し、構成情報設定モードになったことをユーザに知らせる。
【００２６】
モード切替タイマ１８ｂにより、モードを替えたい場合には、構成情報処理部１６により、このモード切替タイマ１８ｂからのモード切替指示の優先順位を最も高く設定すると共に、構成情報設定モードになる時間帯を設定する。この時間帯は、基本的に、データ通信端末１による通信データの送受信量が最も少ない時間帯、例えば、深夜の２３：００〜２４：００等の時間帯が好ましい。モード切替タイマ１８ｂは、この設定時間帯になると、モード切替部１４に対してモード切替指示を与える。
【００２７】
回線のトラフィックに応じてモードを替えたい場合には、構成情報処理部１６により、トラフィック監視部１８ｃからのモード切替指示の優先順位を最も高く設定すると共に、モード切替に関するバッファ内データ量の閾値を設定する。多くのユーザは、この閾値をどのような値に設定することが好ましいかを把握していないので、複数の閾値をプルダウンメニュー表示し、これらのうちから選択させるようにすることが好ましい。トラフィック監視部１８ｃは、バッファ１７内のデータ量が閾値以下になった場合、つまり、トラフィック量がある値以下になった場合、モード切替部１４に対してモード切替指示を与え、モードを構成情報設定モードに変更させる。モード切替部１４が構成情報設定モードになると、モード表示ランプ１９が点灯し、構成情報設定モードになったことをユーザに知らせる。モード切替タイマ１８ｂやトラフィック監視部１８ｃによるモード切替は、モード切替スイッチ１８ａによるモード切替と異なり、ユーザが直接操作するものではないので、ユーザは、現在のモードが何であるかを把握し難い。このため、本実施形態のように、モード表示ランプ１９等を設けて、現在のモードをユーザに示すようにすることが好ましい。
【００２８】
次に、図３に示すフローチャートに従って、ＡＤＳＬモデム１０がＬＡＮ回線２からデータを受け取った際の動作について説明する。
【００２９】
ＡＤＳＬモデム１０は、ＬＡＮ回線２からデータを受信すると（ステップ１）、モード切替部１４が通信モードである場合には（ステップ２）、このデータはモデム処理部１３に渡され、変調・復調等のモデム処理が施されてから（ステップ３）、ＩＰインタフェース１１からＩＰ網４へ送信される（ステップ４）。
【００３０】
また、ステップ２において、モード切替部１４が構成情報設定モードである場合には、このデータはレイヤ３解析部１５に渡される。レイヤ３解析部１５は、レイヤ３で規定されたデータを解析して（ステップ５）、このデータ中に送信先のＩＰアドレスとしてＡＤＳＬモデム１０のＩＰアドレスが含まれているか否かを判断する（ステップ６）。ＡＤＳＬモデム１０のＩＰアドレスが含まれている場合には、このデータ中に本装置の構成情報データを含むと判断して、この構成情報データを構成情報処理部１６に渡し、構成情報処理部１６に構成情報の設定変更処理を実行させる（ステップ７）。つまり、構成情報設定モードのときには、ＬＡＮ回線２で接続されているデータ通信端末１からの指示に応じて、ＡＤＳＬモデム１０の構成情報が設定変更させる。また、ステップ６で、ＡＤＳＬモデム１０のＩＰアドレスが含まれていないと判断した場合には、このデータは、本装置の構成情報データを有しておらず、通信データであるとして、レイヤ３解析部１５からモデム処理部１３にデータが渡される（ステップ３）。
【００３１】
以上のように、本実施形態では、モードが構成情報設定モードになっているときだけ、受信データが通信データであるか構成情報データであるかの解析がなされ、モードが通信モードであるときには、この解析が行われずにモデム処理が実行されるので、通信データのスループットの低下を抑えることができる。また、通信データ用のインタフェースの他に、別途、構成情報データ用のインタフェースを設ける必要がないので、装置コストを抑えることができると共に、構成情報の設定変更の際、構成情報設定変更用のコンピュータを本装置にわざわざ接続する必要がないので、構成情報の設定変更に手間がかからない。
【００３２】
なお、以上の実施形態は、本発明をＡＤＳＬモデム１０に適用したものであるが、本発明はこれに限定されるものではなく、その他の通信モデムやＴＡ（Ｔｅｒｍｉｎａｌ  Ａｄａｐｔｅｒ）等、通信データのインタフェース変換を行うものであれば、如何なるものにも適用できる。
【００３３】
【発明の効果】
本発明によれば、モードが構成情報設定モードになっているときだけ、データ解析手段により受信データが通信データであるか構成情報データであるかの解析がなされ、モードが通信モードであるときには、この解析が行われずにインタフェース変換処理が実行されるので、通信データのスループットの低下を抑えることができる。また、本発明では、通信データも構成情報データも同一のインタフェースで受信でき、通信データ用のインタフェースの他に、別途、構成情報データ用のインタフェースを設ける必要がないので、装置コストを抑えることができると共に、構成情報の設定変更の際、構成情報設定変更用のコンピュータを本装置にわざわざ接続する必要がないので、構成情報の設定変更に手間がかからない。
【図面の簡単な説明】
【図１】本発明に係る第一の実施形態における通信システムの系統図である。
【図２】本発明に係る第一の実施形態におけるＡＤＳｌモデムの機能ブロック図である。
【図３】本発明に係る第一の実施形態におけるＡＤＳＬモデムがＬＡＮ回線からデータを受け取ったときの動作を示すフローチャートである。
【符号の説明】
１…データ通信端末、２…ＬＡＮ回線、３…ルータ、４…ＩＰ網、１０…ＡＤＳＬモデム、１１…ＩＰインタフェース、１２…イーサネットインタフェース、１３…モデム処理部、１４…モード切替部、１５…レイヤ３解析部、１６…構成情報処理部、１７…バッファ、１８ａ…モード切替スイッチ、１８ｂ…モード切替タイマ、１８ｃ…トラフィック監視部、１９…モード表示ランプ。
【図１】
2005064601.tif 000003
【図２】
2005064601.tif 000004
【図３】
2005064601.tif 000005